(57)【特許請求の範囲】
【請求項１】
間隔をおいて構築された複数本の柱と、各柱間に構築されかつその端が前記柱に結合された梁と、該梁の上側に構築されかつ前記梁に結合された床とを備えた鉄筋コンクリート造又は鉄骨鉄筋コンクリート造の構造体の梁のたわみを制御する方法において、柱間に位置する梁の中間部分の一方又は両方の側面に、少なくとも一個のＰＣ鋼材の可動支持装置を設け、梁が結合されている柱又は該柱の近傍の梁或は床にそれぞれ端固定具を設け、前記可動支持装置はＰＣ鋼材の受け部のあるガイドを備え、前記ガイドは梁の側面に取り付けられた案内部材に案内されて梁の成方向に移動可能になっており、梁の側方に位置する前記ガイド又はその支持部と前記床の下面との間にジャッキを設け、前記ジャッキの作動により前記ガイドのＰＣ鋼材の受け部と前記端固定具のＰＣ鋼材の受け部との梁の成方向の間隔を前記梁に作用する荷重に対応した値に調節して、前記ガイドを梁に対して固定し、ＰＣ鋼材の中間の部分を前記ガイドの受け部に係合させかつその端を端固定具の受け部に係合させた状態にして、ＰＣ鋼材の端を引っ張ってＰＣ鋼材に緊張力を導入して、ＰＣ鋼材の端部を端固定具に適宜のやり方で固定し、前記ジャッキを外さずにＰＣ鋼材に緊張力が導入された状態を維持させることを特徴とする梁のたわみを制御するライズ可調節型外側ＰＣ鋼材工法。
【請求項２】
間隔をおいて構築された複数本の柱と、各柱間に構築されかつその端が前記柱に結合された梁と、該梁の上側に構築されかつ前記梁に結合された床とを備えた鉄筋コンクリート造又は鉄骨鉄筋コンクリート造の構造体の梁のたわみを制御する方法において、柱間に位置する梁の中間部分の一方又は両方の側面に、少なくとも一個のＰＣ鋼材の可動支持装置を取り付け、梁が結合されている柱又は該柱の近傍の梁或は床にそれぞれ端固定具を取り付け、前記可動支持装置は梁の成方向に移動可能なガイドを備え、該ガイド又は該ガイドの支持体と前記床の下面との間に該下面に当てた反力板を介してジャッキが設けられ、ジャッキの作動により前記ガイドのＰＣ鋼材の受け部と前記端固定具のＰＣ鋼材の受け部との梁の成方向の間隔を前記梁に作用する荷重に対応した値に調節して、前記ガイドを梁に対して固定し、前記ガイドの受け部にＰＣ鋼材の中間の部分を係合させかつ前記ＰＣ鋼材の端の部分を端固定具の受け部に係合させた状態にして、ＰＣ鋼材の端を引っ張ってＰＣ鋼材に緊張力を導入して、ＰＣ鋼材の端の部分を端固定具に適宜のやり方で固定し、前記ジャッキを外さずにＰＣ鋼材に緊張力が導入された状態を維持させることを特徴とする梁のたわみを制御するライズ可調節型外側ＰＣ鋼材工法。
【請求項３】
鉄筋コンクリート造又は鉄骨鉄筋コンクリート造の構造体の梁のたわみを制御するライズ可調節型外側ＰＣ鋼材工法に使うＰＣ鋼材の可動支持装置において、ＰＣ鋼材のガイドがＰＣ鋼材の受け部を備え、前記ガイド又は該ガイドの支持体に可動部材が取り付けられ、滑り板が梁の側面に取り付け得るようにされ、前記可動部材に梁の成方向の長溝が設けられ、前記ガイド又はその支持体にジャッキの一方の側の端が取り付けられ、ジャッキの他方の端が床の下面に当てる反力板に取り付けられ、梁の成方向に間隔をおいて穿たれた複数のボルト孔に通される複数のボルト又は梁の成方向に間隔をおいて植設される複数のボルトが前記滑り板のボルト孔及び可動部材の長溝に通されて、前記可動部材の長溝と前記ボルトとの係合により可動部材が梁の成方向に移動可能に案内され、前記ボルトのねじ部にナットがねじ込まれて、該ナットの締付により可動板が梁の側面に対して固定され又は該ナットの締付の解除により可動板が梁の成方向に移動可能にされるようになっていることを特徴とする梁のたわみを制御するライズ可調節型外側ＰＣ鋼材工法に使うＰＣ鋼材の可動支持装置。
【請求項４】
鉄筋コンクリート造又は鉄骨鉄筋コンクリート造の構造体の梁のたわみを制御するライズ可調節型外側ＰＣ鋼材工法に使うＰＣ鋼材の可動支持装置において、ガイド又はその支持体に可動板が取り付けられ、可動板に案内溝が設けられ、反力板が床の下面に取り付け得るようにされ、かつ滑り板が梁の側面に取り付け得るようにされて、前記反力板と前記滑り板とが一体に結合されてあり、前記ガイド又はその支持体にジャッキの一方の側の端が取り付けられ、ジャッキの他方の端が前記反力板に取り付けられ、梁の成方向に間隔をおいて穿たれた複数のボルト孔に通される複数のボルト又は梁の成方向に間隔をおいて植設される複数のボルトが、滑り板のボルト孔及び可動板の案内溝に通されて、前記可動部材の長溝と前記ボルトとの係合により可動部材が梁の成方向に案内され、前記ボルトのねじ部にナットがねじ込まれて、該ナットの締付により可動板が梁の側面に対して固定され又は該ナットの締付の解除により可動板が梁の成方向に移動可能にされるようになっていることを特徴とするた梁のたわみを制御するライズ可調節型アウトケーブル工法に使うＰＣ鋼材支持装置。
【請求項５】
鉄筋コンクリート造又は鉄骨鉄筋コンクリート造の構造体の梁のたわみを制御するライズ可調節型外側ＰＣ鋼材工法に使うＰＣ鋼材の可動支持装置において、ガイド又はその支持体に可動板が取り付けられ、可動板に案内溝が設けられ、前記ガイド又はその支持体にジャッキの一方の側の端が取り付けられ、ジャッキの他方の端が床の下面に当てる反力板に取り付けられ、可動板を梁に押し付ける抑え板が設けられ、梁の成方向に間隔をおいて穿たれた複数のボルト孔に通される複数のボルト又は梁の成方向に間隔をおいて植設される複数のボルトが、可動板の案内溝、抑え板のボルト孔に通されて、前記ボルトのねじ部にナットがねじ込まれて、該ナットの締付により可動板が梁の側面に対して固定され又は該ナットの締付の解除により可動板が梁の成方向に移動可能にされるようになっていることを特徴とするた梁のたわみを制御するライズ可調節型アウトケーブル工法に使うＰＣ鋼材支持装置。
【発明の詳細な説明】
【０００１】
【発明の属する技術分野】
この発明は、梁のたわみを制御するライズ可調節型外側ＰＣ鋼材工法及びこの工法に使うＰＣ鋼材の可動支持装置に関する。
【０００２】
【従来の技術】
（１）梁及び床スラブのたわみを制御するために、梁や床スラブ内にＰＣ鋼材を懸垂状に配置し、そのＰＣ鋼材に緊張力を導入する方法がある。
上記方法のたわみを制御する原理を、図６を用いて説明する。
横方向に延びる梁等の横部材１とこの横部材１の両端に剛に結合された縦方向に延びる柱等の縦部材２，２とで架構０１が構成され、その横部材１にはその自重、積載荷重等の鉛直荷重Ｗが作用しており、横部材１の両端間にＰＣ鋼材３が懸垂状に配置されている。そして、ＰＣ鋼材３に緊張力Ｐが導入されると、横部材１を吊り上げる吊上力Ｗ２が発生し、この吊上力Ｗ２により横部材１に作用している自重、積載荷重等の鉛直荷重Ｗがキャンセルされ、横部材１のたわみを制御することができる。
なお、懸垂状に配置されたＰＣ鋼材３のその両端の中心を結ぶ直線と懸垂状に配置されたＰＣ鋼材３の中間部分のＰＣ鋼材３の中心との間の横部材の成方向の間隔（寸法）をライズｒという。
（２）ＰＣ構造物の構築方法において、図７及び図８に示すように、プレテンションまたはポストテンション方式でプレストレスが導入され上面を開口した横断面凹形でその長手方向の中間位置に、ＰＣケーブルの挿通孔を有する少なくとも一個のダイヤフラム６を設けたプレストレストコンクリート梁５を製作し、この梁５を柱７等の取付位置に配設した後、前記横断面凹形の開口内に、前記挿通孔を貫通させてＰＣケーブル８を懸垂状に配置し、このＰＣケーブル８に緊張力Ｐを導入し、このＰＣケーブル８を緊張状態に維持させ、梁５のたわみを制御する方法も提案（例えば、特許公報第２６５９３２９号参照）されている。
【０００３】
【発明が解決しようとする課題】
前記（１）の方法においは、ＰＣ鋼材３が横部材１内に埋設されるため、そのライズｒが一定になり、その吊上力Ｗ２も一定になって、倉庫等で積載荷重の変動が大きい建物において、そのたわみを適切に制御することが困難である。
前記（２）のＰＣ構造物の構築方法においては、梁５の横断面凹形の開口内にコンクリートを後打ちしない場合でも、梁５の上側に該梁５と一体にコンクリート造の床スラブ９を形成するため、ＰＣケーブル８が梁５内に配置されて、ライズが一定になり、吊上力も一定になって、倉庫等で積載荷重の変動が大きい建物に適用しても、その梁のたわみを適切に制御することができない。
この発明の解決しようとする課題は、従来技術の上記のような欠点を有しない梁のたわみを制御するライズ可調節型外側ＰＣ鋼材工法及びこの工法に使うＰＣ鋼材の可動支持装置を提供すること、換言すると、梁に作用する荷重に応じてＰＣ鋼材のライズを容易に変更できる梁のたわみを制御するライズ可調節型外側ＰＣ鋼材工法及びこの工法に使うＰＣ鋼材の可動支持装置を提供することにある。
【０００４】
【課題を解決するための手段】
この発明の梁のたわみを制御するライズ可調節型外側ＰＣ鋼材工法は、間隔をおいて構築された複数本の柱と、各柱間に構築されかつその端が前記柱に結合された梁と、該梁の上側に構築されかつ前記梁に結合された床とを備えた鉄筋コンクリート造又は鉄骨鉄筋コンクリート造の構造体の梁のたわみを制御する方法において、柱間に位置する梁の中間部分の一方又は両方の側面に、少なくとも一個のＰＣ鋼材の可動支持装置を設け、梁が結合されている柱又は該柱の近傍の梁或は床にそれぞれ端固定具を設け、前記可動支持装置はＰＣ鋼材の受け部のあるガイドを備え、前記ガイドは梁の側面に取り付けられた案内部材に案内されて梁の成方向に移動可能になっており、梁の側方に位置する前記ガイド又はその支持部と前記床の下面との間にジャッキを設け、前記ジャッキの作動により前記ガイドのＰＣ鋼材の受け部と前記端固定具のＰＣ鋼材の受け部との梁の成方向の間隔を前記梁に作用する荷重に対応した値に調節して、前記ガイドを梁に対して固定し、ＰＣ鋼材の中間の部分を前記ガイドの受け部に係合させかつその端を端固定具の受け部に係合させた状態にして、ＰＣ鋼材の端を引っ張ってＰＣ鋼材に緊張力を導入して、ＰＣ鋼材の端部を端固定具に適宜のやり方で固定し、前記ジャッキを外さずにＰＣ鋼材に緊張力が導入された状態を維持させることを特徴とするものである。
前記案内部材は、例えば、後記の可動板、該可動板に設けた梁の成方向の案内溝、該案内溝に通された後記梁の成方向に間隔をおいて穿たれた複数のボルト孔に通される複数のボルト又は梁の成方向に間隔をおいて植設される複数のボルトにて構成され、可動部材を梁の成方向に案内するものである。
また、この発明の工法においては、梁の成方向に移動可能なガイド又はその支持体と床の下面との間に前記下面に当てた反力板を介してジャッキを設ける。
なお、梁の側面のＰＣ鋼材の可動支持装置を設ける部分に金属製の滑り板を取り付け、可動支持装置を梁の側面へ取り付け易くする。
【０００５】
この発明の前記ライズ可調節型外側ＰＣ鋼材工法に使うＰＣ鋼材の可動支持装置は、鉄筋コンクリート造又は鉄骨鉄筋コンクリート造の構造体の梁のたわみを制御するライズ可調節型外側ＰＣ鋼材工法に使うＰＣ鋼材の可動支持装置において、ＰＣ鋼材のガイドがＰＣ鋼材の受け部を備え、前記ガイド又は該ガイドの支持体に可動部材が取り付けられ、滑り板が梁の側面に取り付け得るようにされ、前記可動部材に梁の成方向の長溝が設けられ、前記ガイド又はその支持体にジャッキの一方の側の端が取り付けられ、ジャッキの他方の端が床の下面に当てる反力板に取り付けられ、梁の成方向に間隔をおいて穿たれた複数のボルト孔に通される複数のボルト又は梁の成方向に間隔をおいて植設される複数のボルトが前記滑り板のボルト孔及び可動部材の長溝に通されて、前記可動部材の長溝と前記ボルトとの係合により可動部材が梁の成方向に移動可能に案内され、前記ボルトのねじ部にナットがねじ込まれて、該ナットの締付により可動板が梁の側面に対して固定され又は該ナットの締付の解除により可動板が梁の成方向に移動可能にされるようになっていることを特徴とするものである。
また、反力板が床の下面に取り付け得るようにされ、かつ滑り板が梁の側面に取り付け得るようにされて、前記反力板と前記滑り板とが一体に結合されていると、可動支持装置は、まとまったものになり、梁の側面への取付が容易になる。
前記ＰＣ鋼材の可動支持装置としては、例えば、ガイド又は該ガイドの支持体に可動板が取り付けられ、可動板に案内溝が設けられ、前記ガイド又はその支持体にジャッキの一方の側の端が取り付けられ、ジャッキの他方の端が床の下面に当てる反力板に取り付けられ、可動板を梁に押し付ける抑え板が設けられ、梁の成方向に間隔をおいて穿たれた複数のボルト孔に通される複数のボルト又は梁の成方向に間隔をおいて植設される複数のボルトを、可動板の案内溝、抑え板のボルト孔に通し、前記ボルトのねじ部にナットがねじ込まれ、該ナットの締付により可動板が梁の側面に対して固定され又は該ナットの締付の解除により可動板が梁の成方向に移動可能にさるようにする。
ＰＣ鋼材の可動支持装置は、通常、柱間に位置する梁の両方の側面の１以上の対応位置にそれぞれ設ける。
【０００６】
【実施例】
実施例１は、図１〜図３に示され、この発明の梁のたわみを制御するライズ可調節型外側ＰＣ鋼材工法を鉄筋コンクリート造の架構１０に適用した例である。
図１に示すように、鉄筋コンクリート造の柱１１が間隔をおいて複数本構築され、各柱１１間に鉄筋コンクリート造の梁１２が前記柱１１と一体に構築され、前記梁１２の上側に鉄筋コンクリート造の床スラブ１３が前記梁１２と一体に構築されて、架構１０が構築されている。
図１及び図２に示すように、柱１１間に位置する梁１２の両側の側面に、それぞれ４個（複数個）の可動支持装置２０を間隔をおいて互いに対応させて配設する。梁１２に対応する各柱１１の上部に端固定具１５を固定する。４個の可動支持装置２０及び２個の端固定具１５は略懸垂曲線上に位置するように配置する。各可動支持装置２０のガイド２１の挿通孔（ＰＣ鋼材の受け部）２１ａ１と端固定具１５の挿通孔（ＰＣ鋼材の受け部）にＰＣ鋼材（例えば、ＰＣ鋼線、ＰＣ鋼より線、ＰＣ鋼棒）１６を挿通し、ＰＣ鋼材１６に緊張力を導入し、ＰＣ鋼材１６の端部を端固定具１５に適宜のやり方で固定し、ＰＣ鋼材１６に緊張力が導入された状態を維持させ得るようにする。
【０００７】
ＰＣ鋼材の可動支持装置２０は、図２及び図３に示す構成を有している。
この可動支持装置２０は、梁１２の両側の互いに対応する位置に同じ構成の可動支持装置を配置し、少なくとも一対のボルトで互いに連結して梁に取り付ける場合に使うようになっている。可動支持装置２０のガイド２１は、長手方向の挿通孔２１ａ１のある短い鋼製の角柱体２１ａで構成され、この角柱体２１ａはその両端に短い足２１ｂを備えている。短い足２１ｂの端は略矩形の鋼製の可動板２２に溶接等にて接合されている。可動板２２の中央には上下方向に延びる案内溝２２ａが形成されている。角柱体２１ａの上側に、間隔をおいて１対のジャッキ２３，２３が配され、各ジャッキ２３の下端２３ａが角柱体２１ａに結合され、各ジャッキ２３の上端２３ｂが鋼製の反力板２４に適宜の手段で結合されている。上記ジャッキ２３としては、例えば、ねじジャッキを使うが、他の形式のジャッキを使ってもよい。
二つの可動支持装置２０，２０の各可動板２２を平行に配し、各可動板２２の外側に少なくとも１対のボルト孔を穿った鋼製の抑え板２５を配し、各抑え板２５のボルト孔、可動板２２の案内溝２２ａ等にボルトｂ２を通し、ボルトｂ２の先のねじ部にナット２をねじ込んで、各可動支持装置２０を連結して、梁１２に取り付け得るようにする。
【０００８】
次に、ＰＣ鋼材支持装置２０の梁１２への取付方等を説明する。
架構１０の梁１２の両側の側面のＰＣ鋼材の可動支持装置２０を配設すべき位置に鋼製の滑り板２６を固着し、各滑り板２６及び梁１２に梁の成方向に間隔をおいて少なくとも二つのボルト孔を穿設する。
両側の滑り板２６の外側面にそれぞれ可動支持装置２０の可動板２２及び抑え板２５を当て、可動支持装置２０の反力板２４のボルト孔及び床スラブ１３のボルト孔にボルトｂ１を通し、そのボルトｂ１の先のねじ部にナットｎ１をねじ込んで反力板２４を床スラブ３に取り付ける。
次に、梁１２及び滑り板２６のボルト孔、可動板２２の案内溝２２ａ及び抑え板２５のボルト孔にそれぞれボルトｂ２を通し、これらのボルトｂ２の先のねじ部にナットｎ２をねじ込んで、対の可動支持装置２０，２０を連結し、それぞれ梁１２に固着する。
【０００９】
それから、各可動支持装置２０のガイド２１の挿通孔２１ａ１と端固定具１５の挿通孔にＰＣ鋼材１６を挿通する。そして、各可動支持装置２０のガイド２１の挿通孔２１ａ１の中心軸線と端固定具１５の挿通孔の中心軸線との間の梁の成方向の間隔、すなわち、ライズｒが、梁１２に作用する荷重に対応する位置にない時には、ナットｎ２を弛めて、抑え板２５による締め付け解除し、可動板２２を移動可能にし、各ジャッキ２３を作動させ、可動板２２を滑り板２６に対してスライドさせて、ガイド２１を下方に移動させ或は上方に移動させて、それらのライズが所定の値になるように調節する。それから、ナットｎ２を締め付けて、抑え板２５を介して可動板２２を滑り板２６に押し付けて、各可動支持装置２０のガイド２１を梁１２に対して固定する。その後、ＰＣ鋼材１６に緊張力を導入し、ＰＣ鋼材１６の両端の部分を端固定具１５に適宜のやり方で固定して、ＰＣ鋼材１６に緊張力が導入された状態を維持する。
【００１０】
そして、梁１２に作用する荷重が大きく変化するような場合には、ＰＣ鋼材１６に導入されていた緊張力を解除し、ナットｎ２を弛めて、抑え板２５による締め付け解除し、各ジャッキ２３を作動させ、可動板２２を滑り板２６に対してスライドさせて、ガイド２１を下方に移動させ或は上方に移動させて、それらのライズを前記荷重に対応できる値になるように調節する。それから、ナットｎ２を締め付けて、抑え板２５を介して可動板２２を滑り板２６に押し付けて、ＰＣ鋼材の可動支持装置２０のガイド２１を梁１２に対して固定する。その後、ＰＣ鋼材１６に緊張力を導入し、ＰＣ鋼材１６の端部を端固定具１５に適宜のやり方で固定して、ＰＣ鋼材１６に緊張力が導入された状態を維持する。
実施例１では、ジャッキ２３の一方の端をガイド２１に取り付け、ジャッキ２３の他方の端を反力板２４に取り付けて、ガイド２１の梁１２の成方向の移動を、ジャッキ２３と、ボルト・ナットｂ２・ｎ２による締付とにより阻止するようになっている。ジャッキ２３は外さない。
【００１１】
実施例２は、図４及び図５に示され、実施例１との相違点はＰＣ鋼材の可動支持装置３０の構成の相違のみである。
実施例２のＰＣ鋼材の可動支持装置３０は、実施例１と同様に、梁１２の両側の互いに対応する位置に同じ構成の可動支持装置３０を配置し、少なくとも１対のボルト４で互いに連結して梁１２に取り付ける場合に使うものである。
各可動支持装置３０，３０のガイド３１は、長手方向の挿通孔３１ａ１のある短い鋼製の角柱体３１ａで構成され、この角柱体３１ａはその両端に短い足３１ｂを備えている。短い足３１ｂの端に大きい矩形の鋼製の可動板３２が溶接等にて接合されている。可動板３２の中央には上下方向に延びる案内溝３２ａが形成されている。角柱体３１ａの上側に、間隔をおいて１対のジャッキ３３，３３が配され、各ジャッキ３３の下端３３ａが角柱体３１ａに結合され、各ジャッキ３３の上端３３ｂが鋼製の反力板３４に適宜の手段で結合されている。反力板３４にはこれと直角に可動板３２よりも大きい矩形の鋼製の滑り板３６が溶接、ねじ止め等にて接合されている。抑え板３５のボルト孔の間隔に合わせた間隔をおいて滑り板３６の上下方向の中心線上に複数のボルト孔が穿設されている。
上記ジャッキ３３としては、例えば、ねじジャッキを使うが、その他の形式のジャッキを使うこともよい。
二つの可動支持装置３０，３０の可動板３２及び滑り板３６を平行に配し、抑え板３５のボルト孔、滑り板３６のボルト孔、案内板３２の溝孔３２ａ等にボルトｂ４を通し、ボルトｂ４の先のねじ部にナット４をねじ込んで、各可動支持装置３０，３０を連結して、梁１２の側面に取り付け得るようになっている。
【００１２】
架構１０の梁１２の側面のＰＣ鋼材の可動支持装置３０を配設すべき位置に上下方向に抑え板３５及び滑り板３６のボルト孔と同じ間隔をおいて少なくとも二つのボルト孔を穿設し、梁１２の両側にそれぞれ可動支持装置３０，３０を配し、各可動支持装置３０の反力板３４のボルト孔及び床スラブ３のボルト孔にボルトｂ３を通し、これらのボルトｂ３の先のねじ部にナットｎ３をねじ込んで反力板３４を床スラブ３に取り付ける。
次ぎに、梁１２のボルト孔、滑り板３６のボルト孔、可動板３２の案内溝３２ａ及び抑え板３５のボルト孔にそれぞれボルトｂ４を通し、ボルトｂ４の先のねじ部にナットｎ４をねじ込んで、対の可動支持装置３０，３０を連結するとともに、各可動支持装置３０のガイド３１をそれぞれ梁１２に対して固着する。
ＰＣ鋼材１６の挿通の仕方、ＰＣ鋼材１６への緊張力の導入の仕方、各可動支持装置３０のガイド３１の位置、すなわち、ライズの調節の仕方等は実施例１と同じである。
【００１３】
【発明の作用効果】
この発明は、特許請求の範囲の欄に記載した構成を備えることにより、次の（イ）〜（ホ）の作用効果を奏する。
（イ）請求項１の発明のライズ可調節型外側ＰＣ鋼材工法は、間隔をおいて構築された複数本の柱と、各柱間に構築されかつその端が前記柱に結合された梁と、該梁の上側に構築されかつ前記梁に結合された床とを備えた鉄筋コンクリート造又は鉄骨鉄筋コンクリート造の構造体の梁のたわみを制御する方法において、柱間に位置する梁の中間部分の一方又は両方の側面に、少なくとも一個のＰＣ鋼材の可動支持装置を設け、梁が結合されている柱又は該柱の近傍の梁或は床にそれぞれ端固定具を設け、前記可動支持装置はＰＣ鋼材の受け部のあるガイドを備え、前記ガイドは梁の側面に取り付けられた案内部材に案内されて梁の成方向に移動可能になっており、梁の側方に位置する前記ガイド又はその支持部と前記床の下面との間にジャッキを設け、前記ジャッキの作動により前記ガイドのＰＣ鋼材の受け部と前記端固定具のＰＣ鋼材の受け部との梁の成方向の間隔を前記梁に作用する荷重に対応した値に調節して、前記ガイドを梁に対して固定し、ＰＣ鋼材の中間の部分を前記ガイドの受け部に係合させかつその端を端固定具の受け部に係合させた状態にして、ＰＣ鋼材の端を引っ張ってＰＣ鋼材に緊張力を導入して、ＰＣ鋼材の端部を端固定具に適宜のやり方で固定し、前記ジャッキを外さずにＰＣ鋼材に緊張力が導入された状態を維持させるから、次の（１）〜（３）の効果を奏する。
（１）倉庫等のような積載荷重の変動が大きい大スパン構造体の梁（及び床スラブ）のたわみを適切に制御することができ、このことにより構造体の高いグレードの性能を確保でき、構造体の耐久性を向上させることが可能となる。また、リニュアルにより構造体の用途が変更され、積載荷重が増大して、梁（及び床スラブ）のたわみの制御が困難になる場合に、この発明を適用すると、積載荷重の増大に容易に対応することができる。
（２）ジャッキによりガイドの位置の調節が容易になり、かつジャッキの存在によりガイドの梁の成方向への変位を確実に阻止することができる。
（３）ＰＣ鋼材の可動支持装置は、柱間に位置する梁の中間部分の一方又は両方の側面に配置され、可動支持装置のガイドは梁の側面に配置された案内部材に沿って梁の成方向に移動可能になっており、梁の側方の前記ガイド又はその支持部と前記床の下面との間にジャッキを設けるから、ジャッキを外さないでＰＣ鋼材に緊張力が導入された状態を維持させるようにしても、可動支持装置のガイド、案内部材、ジャッキ等が梁の下側の空間を狭めることがない。
【００１４】
（ロ）請求項２の発明のライズ可調節型外側ＰＣ鋼材工法は、間隔をおいて構築された複数本の柱と、各柱間に構築されかつその端が前記柱に結合された梁と、該梁の上側に構築されかつ前記梁に結合された床とを備えた鉄筋コンクリート造又は鉄骨鉄筋コンクリート造の構造体の梁のたわみを制御する方法において、柱間に位置する梁の中間部分の一方又は両方の側面に、少なくとも一個のＰＣ鋼材の可動支持装置を取り付け、梁が結合されている柱又は該柱の近傍の梁或は床にそれぞれ端固定具を取り付け、前記可動支持装置は梁の成方向に移動可能なガイドを備え、該ガイド又は該ガイドの支持体と前記床の下面との間に該下面に当てた反力板を介してジャッキが設けられ、ジャッキの作動により前記ガイドのＰＣ鋼材の受け部と前記端固定具のＰＣ鋼材の受け部との梁の成方向の間隔を前記梁に作用する荷重に対応した値に調節して、前記ガイドを梁に対して固定し、前記ガイドの受け部にＰＣ鋼材の中間の部分を係合させかつ前記ＰＣ鋼材の端の部分を端固定具の受け部に係合させた状態にして、ＰＣ鋼材の端を引っ張ってＰＣ鋼材に緊張力を導入して、ＰＣ鋼材の端の部分を端固定具に適宜のやり方で固定し、前記ジャッキを外さずにＰＣ鋼材に緊張力が導入された状態を維持させるから、前記（１）〜（３）の効果を奏し得るだけでなく、次の（４）の効果を奏する。
（４）ＰＣ鋼材の可動支持装置のガイド又は該ガイドの支持部と床の下面との間に該下面に当てた反力板を介してジャッキを設け、ジャッキの作動により前記ガイドのＰＣ鋼材の受け部と前記端固定具のＰＣ鋼材の受け部との梁の成方向の間隔を前記梁に作用する荷重に対応した値に調節して、前記ガイドを梁に対して固定して、ＰＣ鋼材の端を引っ張ってＰＣ鋼材に緊張力を導入して、ＰＣ鋼材の端の部分を端固定具に適宜のやり方で固定し、前記ジャッキを外さずにＰＣ鋼材に緊張力が導入された状態を維持させるから、前記間隔、すなわち、ライズの調節後の前記ガイドの梁への固定力が充分でない場合でも、前記反力板の存在によりジャッキに作用する荷重を床で無理なく受けることができる。
【００１５】
（ハ）請求項３の発明のＰＣ鋼材の可動支持装置は、鉄筋コンクリート造又は鉄骨鉄筋コンクリート造の構造体の梁のたわみを制御するライズ可調節型外側ＰＣ鋼材工法に使うＰＣ鋼材の可動支持装置において、ＰＣ鋼材のガイドがＰＣ鋼材の受け部を備え、前記ガイド又は該ガイドの支持体に可動部材が取り付けられ、滑り板が梁の側面に取り付け得るようにされ、前記可動部材に梁の成方向の長溝が設けられ、前記ガイド又はその支持体にジャッキの一方の側の端が取り付けられ、ジャッキの他方の端が床の下面に当てる反力板に取り付けられ、梁の成方向に間隔をおいて穿たれた複数のボルト孔に通される複数のボルト又は梁の成方向に間隔をおいて植設される複数のボルトが前記滑り板のボルト孔及び可動部材の長溝に通されて、前記可動部材の長溝と前記ボルトとの係合により可動部材が梁の成方向に移動可能に案内され、前記ボルトのねじ部にナットがねじ込まれて、該ナットの締付により可動板が梁の側面に対して固定され又は該ナットの締付の解除により可動板が梁の成方向に移動可能にされるから、次の（５）〜（８）の効果を奏する。
（５）ＰＣ鋼材の可動支持装置を梁の側面に取り付け、そのジャッキを操作することにより、ＰＣ鋼材の受け部のあるガイドを所望位置に容易に位置させることができ、ライズの調節操作が容易になる。また、梁の側面にガイド、可動板、ジャッキ等からなるＰＣ鋼材の可動支持装置が配設されることになるから、可動支持装置の配設により梁の下側の空間が狭められることがない。
（６）ガイド又はその支持体にジャッキの一方の側の端が取り付けられ、ジャッキの他方の端が床の下面に当てる反力板に取り付けられているため、ジャッキを操作しない限り、ガイドの梁の成方向への変位を確実に阻止することができ、ジャッキに作用する荷重を床で無理なく受けることができる。
（７）可動部材の長溝に通して可動部材を梁の成方向に案内する複数の前記ボルトのねじ部にナットがねじ込まれて、該ナットの締付けにより可動板が梁の側面に対して固定されるから、可動部材、その長溝及び複数のボルトは、ガイドの案内手段と固定手段とを兼ねることになり、装置の構造が簡単になる。
（８）梁の側面に滑り板を取り付けるため、ガイド又はその支持体に取り付けた可動部材が前記滑り板に接触して梁の成方向へ移動することになり、可動部材等を円滑に移動させることができる。
（ニ）請求項４に係る発明のＰＣ鋼材の可動支持装置は、鉄筋コンクリート造又は鉄骨鉄筋コンクリート造の構造体の梁のたわみを制御するライズ可調節型外側ＰＣ鋼材工法に使うＰＣ鋼材の可動支持装置において、ガイド又はその支持体に可動板が取り付けられ、可動板に案内溝が設けられ、反力板が床の下面に取り付け得るようにされ、かつ滑り板が梁の側面に取り付け得るようにされて、前記反力板と前記滑り板とが一体に結合されてあり、前記ガイド又はその支持体にジャッキの一方の側の端が取り付けられ、ジャッキの他方の端が前記反力板に取り付けられ、梁の成方向に間隔をおいて穿たれた複数のボルト孔に通される複数のボルト又は梁の成方向に間隔をおいて植設される複数のボルトが、滑り板のボルト孔及び可動板の案内溝に通されて、前記可動部材の長溝と前記ボルトとの係合により可動部材が梁の成方向に案内され、前記ボルトのねじ部にナットがねじ込まれて、該ナットの締付により可動板が梁の側面に対して固定され又は該ナットの締付の解除により可動板が梁の成方向に移動可能にされるから、前記（５）〜（８）の効果を奏することができるだけでなく、次の（９）の効果を奏する。
（９）反力板が床の下面に取り付け得るようにされ、かつ滑り板が梁の側面に取り付け得るようにされて、前記反力板と前記滑り板とが一体に結合されているから、可動支持装置の主な構成要素がひとまとめになり、可動支持装置の梁への取付けが容易になる。
（ホ）請求項５の発明のＰＣ鋼材の可動支持装置は、鉄筋コンクリート造又は鉄骨鉄筋コンクリート造の構造体の梁のたわみを制御するライズ可調節型外側ＰＣ鋼材工法に使うＰＣ鋼材の可動支持装置において、ガイド又はその支持体に可動板が取り付けられ、可動板に案内溝が設けられ、前記ガイド又はその支持体にジャッキの一方の側の端が取り付けられ、ジャッキの他方の端が床の下面に当てる反力板に取り付けられ、可動板を梁に押し付ける抑え板が設けられ、梁の成方向に間隔をおいて穿たれた複数のボルト孔に通される複数のボルト又は梁の成方向に間隔をおいて植設される複数のボルトが、可動板の案内溝、抑え板のボルト孔に通されて、前記ボルトのねじ部にナットがねじ込まれて、該ナットの締付により可動板が梁の側面に対して固定され又は該ナットの締付の解除により可動板が梁の成方向に移動可能にされるから、前記（５）〜（７）の効果を奏することができるだけでなく、次の（１０）の効果を奏する。
（１０）梁の成方向に間隔をおいて穿たれた複数のボルト孔に通され複数のボルト又は梁の成方向に間隔をおいて植設される複数のボルトを、可動板の案内溝及び抑え板のボルト孔に通して、前記ボルトのねじ部にナットをねじ込んで締め付けると、抑え板が可動板を梁の側面側に押し付けて、可動板が梁に固定され、前記ナットの締付を解除すると、可動板が梁の成方向に移動可能になり、可動板の固定及び該固定の解除を容易に行なうことができ、装置の構造が簡単になり、装置をコンパクト化することができる。
【図面の簡単な説明】
【図１】  実施例１の架構の梁のたわみを制御するライズ可調節型外側ＰＣ鋼材工法を概略的に示す正面図
【図２】  実施例１の梁の側面に取り付けたＰＣ鋼材の可動支持装置の正面図
【図３】  図２に示すＡ−Ａ線で横断したＰＣ鋼材の可動支持装置の側面図
【図４】  実施例２の梁の側面に取り付けたＰＣ鋼材の可動支持装置の正面図
【図５】  図４に示すＢ−Ｂ線で横断したＰＣ鋼材の可動支持装置の側面図
【図６】  従来の鉄筋コンクリート造の梁にＰＣ鋼材を懸垂状に埋込み、そのＰＣ鋼材を緊張力が導入された状態に維持してたわみを制御する原理を示す説明図
【図７】  従来の鉄筋コンクリート造の横断面凹形の梁中にＰＣ鋼材を懸垂状に配置し、そのＰＣ鋼材を緊張力が導入された状態に維持してそのたわみを制御するようにした構造物の正面図
【図８】  図７に示す構造物の梁をそのＣ−Ｃ線で横断した側面図
【符号の説明】
１０  鉄筋コンクリート造の架構
１１  柱
１２  梁
１３  床
１５  端固定具
１６  ＰＣ鋼材
２０，３０  ＰＣ鋼材の可動支持装置
２１，３１  ガイド
２１ａ，３１ａ  角柱体
２１ａ１，３１ａ１  挿通孔（受け部）
２１ｂ，３１ｂ  足
２２，３２  可動板
２２ａ，３２ａ  案内溝
２３，３３  ジャッキ
２４，３４  反力板
２５，３５  抑え板
２６，３６  滑り板
ｂ１〜ｂ４  ボルト
ｎ１〜ｎ４  ナット
【図１】
0003716381.tif 000002
【図２】
0003716381.tif 000003
【図３】
0003716381.tif 000004
【図４】
0003716381.tif 000005
【図５】
0003716381.tif 000006
【図６】
0003716381.tif 000007
【図７】
0003716381.tif 000008
【図８】
0003716381.tif 000009